(57)【特許請求の範囲】
【請求項１】
端子が接続された電線と、
前記端子を収容可能なキャビティが形成されたハウジングと、
前記キャビティと対応して貫通孔が形成され前記ハウジングの後面に配されるゴム栓とを備えた防水コネクタであって、
前記ゴム栓は、前記電線が挿通される貫通孔を有し、前記貫通孔の内壁には、前記電線の外周面に密着する前後一対の内周リップが設けられ、前側の前記内周リップの中心と後側の前記内周リップの中心とは、前記電線の挿通方向と交差する方向にずれて配されている防水コネクタ。
【請求項２】
前側の前記内周リップと後側の前記内周リップとの間には、段差を有する中間リップが設けられており、前記段差は、前記前側内周リップの後端から後方に延びる前側水平面と、前記後側内周リップの前端から前方に延びる後側水平面との間に設けられている請求項１に記載の防水コネクタ。
【請求項３】
前記前側水平面と前記後側水平面は、互いに平行で、かつ、前記段差とは直交する配置とされている請求項２に記載の防水コネクタ。
【発明の詳細な説明】
【技術分野】
【０００１】
本明細書によって開示される技術は、防水コネクタに関する。
【背景技術】
【０００２】
従来、コネクタハウジングの内部をシールする弾性シール部材として、例えば特開２０１３−１７１７０４号公報（下記特許文献１）に記載のものが知られている。この弾性シール部材は、ゴム材等の弾性材からなり、複数の端子挿通孔を有するシール本体部を備えている。端子挿通孔には、電線付き端子が挿通されるようになっており、端子挿通孔の内部には、筒状電線密着部が設けられている。筒状電線密着部は、電線の外周面に密着する円弧状密着部が軸方向に並んで一対設けられている。一対の円弧状密着部は、弾性支持部によって支持されており、弾性支持部の前側と後側にそれぞれ一つずつ配されている。電線が振られた場合には、各円弧状密着部が弾性支持部を中心としてシーソー状に弾性変位することで電線の動きに追従するようになっている。
【先行技術文献】
【特許文献】
【０００３】
【特許文献１】特開２０１３−１７１７０４号公報
【発明の概要】
【発明が解決しようとする課題】
【０００４】
しかしながら、上記の弾性シール部材は、一対の円弧状密着部が端子挿通孔の内壁に対して弾性支持部を介して連結されているため、電線付き端子を端子挿通孔に挿通する際に、端子の先端が弾性支持部に突き当たるなどして弾性支持部に亀裂が入ることでシール性能が低下するおそれがある。
【課題を解決するための手段】
【０００５】
本明細書によって開示される防水コネクタは、端子が接続された電線と、前記端子を収容可能なキャビティが形成されたハウジングと、前記キャビティと対応して貫通孔が形成され前記ハウジングの後面に配されるゴム栓とを備えた防水コネクタであって、前記ゴム栓は、前記電線が挿通される貫通孔を有し、前記貫通孔の内壁には、前記電線の外周面に密着する前後一対の内周リップが設けられ、前側の前記内周リップの中心と後側の前記内周リップの中心とは、前記電線の挿通方向と交差する方向にずれて配されている構成とした。
【０００６】
このような構成によると、電線が振られた場合でも、いずれか一方の内周リップが必ず電線の外周面に密着することになるため、シール性能を発揮することができる。すなわち、電線が振られた場合に、その電線の外周面に密着する位置に内周リップを設けているから、電線の外周面による内周リップの潰し量が少なくなることはなく、十分なシール性能が維持される。
【０００７】
本明細書によって開示される防水コネクタは、以下の構成としてもよい。
前側の前記内周リップと後側の前記内周リップとの間には、段差を有する中間リップが設けられており、前記段差は、前側の前記内周リップの後端から後方に延びる前側水平面と、後側の前記内周リップの前端から前方に延びる後側水平面との間に設けられている構成としてもよい。
このような構成によると、中間リップによってもシール性能を発揮することができる。例えば、電線が振られていない状態では、振られている状態と比較して前側の内周リップと後側の内周リップとの潰し量がかえって小さくなることが考えられる。その場合にも、中間リップによってシール性能を維持することができる。
【０００８】
また、前側の内周リップの中心と後側の内周リップの中心とが一致する構成では、前側の内周リップと後側の内周リップとの間に位置する溝の最深部で金型を前後に割ることにした場合、溝の最深部が合わせ面の位置となり、鋭角状の角部が形成されてしまうため、金型が合わせ面の位置で破損しやすくなる。その点、上記の構成によると、前側の内周リップと後側の内周リップとの間に段差を有する中間リップが設けられ、かつ、段差の前後に水平面が設けられているため、段差の位置を合わせ面に設定した場合、水平面を成形する部分と段差を成形する部分との角部がほぼ直角に形成されることになる。したがって、金型が合わせ面の位置で破損しにくくなる。
【０００９】
前記前側水平面と前記後側水平面は、互いに平行で、かつ、前記段差とは直交する配置とされている構成としてもよい。
このような構成によると、金型の合わせ面に位置する角部が直角になるため、金型の破損をより確実に防ぐことができる。
【発明の効果】
【００１０】
本明細書によって開示される防水コネクタによれば、電線が振られた場合でも十分なシール性能を維持することができる。
【図面の簡単な説明】
【００１１】
【図１】防水コネクタの斜視図
【図２】防水コネクタの正面図
【図３】防水コネクタの背面図
【図４】一括ゴム栓を斜め前方から見た斜視図
【図５】一括ゴム栓を斜め後方から見た斜視図
【図６】一括ゴム栓の側面図
【図７】一括ゴム栓の正面図
【図８】一括ゴム栓の背面図
【図９】図８におけるＢ−Ｂ線断面図
【図１０】図９における一部拡大断面図
【図１１】図２におけるＡ−Ａ線断面図において雌端子を挿入する前の状態を示した断面図
【図１２】図１１の状態から雌端子を挿入した状態を示した断面図
【図１３】図１２における一部拡大断面図
【図１４】図１３における電線が上方に振られた場合を示した断面図
【図１５】図１３における電線が下方に振られた場合を示した断面図
【発明を実施するための形態】
【００１２】
＜実施形態＞
実施形態を図１から図１５の図面を参照しながら説明する。本実施形態の防水コネクタＣは、図１２に示すように、電線Ｗの端末に接続された雌端子１０と、雌端子１０を収容可能なキャビティ２４が複数形成された雌ハウジング２０と、各キャビティ２４と対応して複数の貫通孔３２が形成され雌ハウジング２０の後面に配される一括ゴム栓３０と、各貫通孔３２と対応して複数の挿通孔４１が形成され一括ゴム栓３０を後方から抜け止めするリアホルダ４０と、を備えて構成されている。雌ハウジング２０には、相手の雄ハウジング（図示せず）との間の嵌合力を助勢するためのレバー２６が装着されている。
【００１３】
雌端子１０は、導電性に優れた金属板をプレス加工して形成され、図１２に示すように、角筒状をなす本体部１１の後方にバレル１２が設けられた構造であって、バレル１２が電線Ｗの端末にかしめられることで接続されている。本体部１１には、相手の雄端子（図示せず）のタブが前方から挿入可能であり、本体部１１内にはタブに弾性接触する弾性接触片（図示せず）が設けられている。
【００１４】
雌端子１０の本体部１１の上面における前端寄りの位置には、キャビティ２４の内壁に設けられたランス２５に係止する係止突部１３が突出形成されている。また、本体部１１の上面における後端位置には、雌端子１０の逆挿入防止用のスタビライザ１４が上方に突出して設けられている。
【００１５】
雌ハウジング２０は合成樹脂製であって２ピースから構成されており、図１から図３に示すように、全体として略方形のブロック状をなし、前側部分が端子収容部２１とされているとともに、後側部分が後面開口の収容凹部２２とされている。収容凹部２２内には、後記するように、一括ゴム栓３０とリアホルダ４０とが収容されるようになっている。
【００１６】
端子収容部２１には、上記した電線Ｗの端末に圧着された雌端子１０を収容するべく前後方向を向いたキャビティ２４が、複数個（図示８個）ずつ４段に亘って整列して形成されている。各キャビティ２４の上面における前端寄りの位置には、雌端子１０の本体部１１の係止突部１３に一次係止するランス２５が形成されている。
【００１７】
端子収容部２１におけるランス２５の形成位置の後方位置には、リテーナ２７が上方から挿入されるリテーナ挿入孔２８が設けられている。リテーナ２７は、図１１に示すように、雌端子１０が挿入される前には、雌端子１０の進入を許容する仮係止位置に保持され、図１２に示すように、雌端子１０が正規位置に挿入された後には、本係止位置に押し込まれて雌端子１０に二次係止して抜け止めを図るようになっている。
【００１８】
雌ハウジング２０の後側部分には、既述したように、一括ゴム栓３０とリアホルダ４０とが収容される収容凹部２２が形成されている。収容凹部２２は、図３に示すように、背面視で四隅に丸みが付けられた略方形状をなしている。一括ゴム栓３０は、図４から図８に示すように、収容凹部２２の奥側に緊密に嵌合される略方形の厚板状に形成されている。一括ゴム栓３０の外周には、２条の外周リップ３１が形成されている。
【００１９】
一括ゴム栓３０には、複数の貫通孔３２が、上記した各キャビティ２４と対応した配列において、前後に貫通した形態で形成されている。図９に示すように、各貫通孔３２の長さ方向の中央部には、図示２条の内周リップ３３、３４が形成されている。以下、前側に位置する内周リップを前側内周リップ３３とし、後側に位置する内周リップを後側内周リップ３４とする。各内周リップ３３、３４は、挿通された電線Ｗの外周面に弾性的に密着可能となっている。また、各内周リップ３３、３４の内径（開口径）は同じとされている。各貫通孔３２の前後両端部の内面は、前方または後方に向けて次第に拡径したテーパ状に形成されている。
【００２０】
リアホルダ４０は合成樹脂製であって、図１２に示すように、収容凹部２２の開口側に略緊密に嵌合可能となっている。上記の一括ゴム栓３０とリアホルダ４０とが前後に重ねられた場合の厚さが収容凹部２２の奥行きに相当する。言い換えると、一括ゴム栓３０とリアホルダ４０とが前後に重なった形態で、収容凹部２２内にほぼすっぽりと嵌って収容可能となっている。
【００２１】
リアホルダ４０には、雌端子１０を挿入可能な複数の挿通孔４１が、一括ゴム栓３０の各貫通孔３２に対応した配列において、前後に貫通した形態で形成されている。各挿通孔４１は基本的には、雌端子１０の本体部１１（係止突部１３とスタビライザ１４とを含む）が干渉することなく挿通可能な断面形状を備えている。
【００２２】
リアホルダ４０の左右両側面には、図１に示すように、上下２個ずつのロック突部４２が突出形成されているとともに、収容凹部２２の左右の側壁には、リアホルダ４０が一括ゴム栓３０の後面に重なる正規位置まで押し込まれたところでロック突部４２が嵌って係止するロック孔２３が形成されている。
【００２３】
リアホルダ４０の前面には、一括ゴム栓３０において後方に開口して設けられた圧縮孔３８に圧入される圧縮ピン４３が設けられている。全ての雌端子１０を各キャビティ２４に収容した後、リアホルダ４０を一括ゴム栓３０に組み付けると、各圧縮ピン４３が各圧縮孔３８に圧入され、一括ゴム栓３０を圧縮することになる。これにより、各貫通孔３２の内周面が各電線Ｗの外周面に強く押し当てられて密着し、高いシール性能が得られるようになっている。
【００２４】
さて、本実施形態における一括ゴム栓３０は、図１０に示すように、前側内周リップ３３の中心よりも後側内周リップ３４の中心の方が上方に位置するようにずれて配されている。前側内周リップ３３と後側内周リップ３４の間には、段差３５をそれぞれ有する上下一対の中間リップ３９が設けられている。段差３５は、電線Ｗの貫通孔３２への挿通方向と直交する方向に延びる垂直面として構成されている。
【００２５】
前側内周リップ３３の後端３３Ａには、段差３５の下端３５Ｌに向けて後方に延びる形態で、かつ、周方向に延びる形態をなす前側水平面３６が周設されている。また、後側内周リップ３４の前端３４Ａには、段差３５の上端３５Ｕに向けて前方に延びる形態で、かつ、周方向に延びる形態をなす後側水平面３７が周設されている。さらに、前側水平面３６と後側水平面３７は、互いに平行で、かつ、段差３５とは直交する配置とされている。
【００２６】
一括ゴム栓３０は、前後一対の金型によって成形されており、前後一対の金型は、段差３５の位置で分割されている。したがって、下側の段差３５は、前側の金型の合わせ面によって成形され、上側の段差３５は、後側の金型の合わせ面によって成形されている。さらに、前側の金型の合わせ面の位置に直角の角部が設けられ、後側の金型の合わせ面の位置にも直角の角部が設けられることになる。これにより、合わせ面の位置に鋭角の角部が設けられた金型よりも破損しにくい金型にすることができる。
【００２７】
段差３５の上下寸法は、前側内周リップ３３の中心と後側内周リップ３４の中心とのずれ量（前側内周リップ３３の軸心と後側内周リップ３４の軸心との間の距離）と一致している。つまり、後側内周リップ３４は、段差３５の上下寸法分だけ前側内周リップ３３よりも上方に変位した位置に配されている。また、図１３に示すように、電線Ｗが貫通孔３２に挿通された状態で、前側内周リップ３３と後側内周リップ３４と中間リップ３９の計３箇所で電線Ｗの外周面に密着した状態となるように段差３５の上下寸法が設定されている。
【００２８】
図１４に示すように、電線Ｗが上方に振られた場合、前側内周リップ３３と下側の段差３５においては電線Ｗの外周面との当たりが局所的に弱くなるものの、後側内周リップ３４においては電線Ｗの外周面と全周に亘って密着しているため、高いシール性能が維持される。一方、図１５に示すように、電線Ｗが下方に振られた場合、後側内周リップ３４と上側の段差３５においては電線Ｗの外周面との当たりが局所的に弱くなるものの、前側内周リップ３３においては電線Ｗの外周面と全周に亘って密着しているため、やはり高いシール性能が維持される。
【００２９】
以上のように本実施形態では、電線Ｗが振られた場合でも、前側内周リップ３３と後側内周リップ３４のうち、いずれか一方の内周リップが必ず電線Ｗの外周面に密着することになるため、シール性能を発揮することができる。すなわち、電線Ｗが振られた場合に、その電線Ｗの外周面に密着する位置に内周リップを設けているから、電線Ｗの外周面による内周リップの潰し量が少なくなることはなく、十分なシール性能が維持される。
【００３０】
前側内周リップ３３と後側内周リップ３４との間には、段差３５を有する中間リップ３９が設けられており、段差３５は、前側内周リップ３３の後端３３Ａから後方に延びる前側水平面３６と、後側内周リップ３４の前端３４Ａから前方に延びる後側水平面３７との間に設けられている構成としてもよい。
このような構成によると、中間リップ３９によってもシール性能を発揮することができる。例えば、電線Ｗが振られていない状態では、振られている状態と比較して前側内周リップ３３と後側内周リップ３４との潰し量がかえって小さくなることが考えられる。その場合にも、中間リップ３９によってシール性能を維持することができる。
【００３１】
また、前側内周リップの中心と後側内周リップの中心とが一致する構成では、前側内周リップと後側内周リップの間に位置する溝の最深部で金型を前後に割ることにした場合、溝の最深部が合わせ面の位置となり、鋭角状の角部が形成されてしまうため、金型が合わせ面の位置で破損しやすくなる。その点、上記の構成によると、前側内周リップ３３と後側内周リップ３４の間に段差３５を有する中間リップ３９が設けられ、かつ、段差３５の前後に水平面３６、３７が設けられているため、段差３５の位置を合わせ面に設定した場合、水平面３６、３７を成形する部分と段差３５を成形する部分との角部がほぼ直角に形成されることになる。したがって、金型が合わせ面の位置で破損しにくくなる。
【００３２】
前側水平面３６と後側水平面３７は、互いに平行で、かつ、段差３５とは直交する配置とされている構成としてもよい。
このような構成によると、金型の合わせ面に位置する角部が直角になるため、金型の破損をより確実に防ぐことができる。
【００３３】
＜他の実施形態＞
本明細書によって開示される技術は上記記述及び図面によって説明した実施形態に限定されるものではなく、例えば次のような種々の態様も含まれる。
（１）上記実施形態では前側内周リップ３３の中心と後側内周リップ３４の中心とを上下方向にずらして配したものを例示しているものの、ずらす方向は上下方向のみならず、左右方向でもよい。要するに、電線Ｗが振られる方向が予め決まっている場合には、電線Ｗが振られる方向に前側内周リップと後側内周リップとをずらして配したものとすればよい。
【００３４】
（２）上記実施形態では前側内周リップ３３の内径と後側内周リップ３４の内径とが一致しているものの、前側内周リップの内径と後側内周リップの内径とを異なるものとしてもよい。
【００３５】
（３）上記実施形態では前側内周リップ３３と後側内周リップ３４との間に、段差３５を有する中間リップ３９を設けているものの、段差を設けることなく前側内周リップ３３の後端３３Ａと後側内周リップ３４の前端３４Ａとをテーパ状に連結してもよい。
【００３６】
（４）上記実施形態では段差３５の位置を合わせ面とする前後一対の金型を例示しているものの、合わせ面のない単一の金型によって一括ゴム栓を成形してもよい。
【符号の説明】
【００３７】
１０…雌端子
２０…雌ハウジング
２４…キャビティ
３０…一括ゴム栓
３２…貫通孔
３３…前側内周リップ
３３Ａ…後端
３４…後側内周リップ
３４Ａ…前端
３５…段差
３６…前側水平面
３７…後側水平面
３９…中間リップ
Ｃ…防水コネクタ
Ｗ…電線
【図１】
0006536902.tif 000002
【図２】
0006536902.tif 000003
【図３】
0006536902.tif 000004
【図４】
0006536902.tif 000005
【図５】
0006536902.tif 000006
【図６】
0006536902.tif 000007
【図７】
0006536902.tif 000008
【図８】
0006536902.tif 000009
【図９】
0006536902.tif 000010
【図１０】
0006536902.tif 000011
【図１１】
0006536902.tif 000012
【図１２】
0006536902.tif 000013
【図１３】
0006536902.tif 000014
【図１４】
0006536902.tif 000015
【図１５】
0006536902.tif 000016